(57)【特許請求の範囲】
【請求項１】
電線端部にそれぞれ接続されたプラス極又はマイナス極のバッテリーターミナルを、バッテリー本体の対応する極性のバッテリーポストにそれぞれ接続させるバッテリーターミナルの接続構造において、
前記バッテリー本体は、プラス極及びマイナス極のバッテリーポストと、前記バッテリー本体と別体に着脱可能に設けられ、前記各バッテリーポストをそれぞれ覆うポスト保護カバーとを備え、
該各ポスト保護カバーは、対応する極性の前記バッテリーターミナルのみを嵌挿可能なようにプラス極又はマイナス極に専用の所要形状に各々形成されたターミナル用開口を備え、
前記各バッテリーターミナルは、対応する前記ターミナル用開口に嵌挿可能な所要形状に形成されており、前記ターミナル用開口への嵌挿方向先端に、前記バッテリーポストに嵌合されて電気的接続を得る接続用溝を備えていることを特徴とするバッテリーターミナルの接続構造。
【請求項２】
前記バッテリー本体の前記各バッテリーポスト近傍には、前記各バッテリーターミナルを係止する被係止部が設けられ、
前記各バッテリーターミナルの先端には、前記ポスト保護カバーの対応する前記各ターミナル用開口から前記バッテリーポストへの嵌挿に伴って、前記被係止部に係止される係止爪が設けられていることを特徴とする請求項１記載のバッテリーターミナルの接続構造。
【請求項３】
前記各バッテリーターミナルには、前記ターミナル用開口への嵌挿方向に沿って回転防止用リブが突設されており、
前記バッテリー本体の前記各ターミナル用開口には、前記回転防止用リブを嵌挿するリブ用溝が設けられていることを特徴とする請求項１又は２記載のバッテリーターミナルの接続構造。
【請求項４】
前記各極性のバッテリーポストには、対応する前記ターミナル用開口に嵌挿されて前記バッテリーポストに嵌合された前記各バッテリーターミナルを、前記バッテリーポストへの螺合によって固定する螺合部材が設けられ、前記各ポスト保護カバーには、前記各螺合部材の螺合作業のための作業用開口が設けられ、
前記各螺合部材には、前記バッテリーポストへの螺合に伴って前記作業用開口を閉塞させる開口閉塞部材が、一体的に設けられていることを特徴とする請求項１，２又は３記載のバッテリーターミナルの接続構造。
【請求項５】
前記各開口閉塞部材は、外部から手動操作可能であり、前記螺合部材を螺合させるための所要のツールを装着可能なツール装着部が設けられていることを特徴とする請求項４記載のバッテリーターミナルの接続構造。
【発明の詳細な説明】
【０００１】
【発明の属する技術分野】
本発明は、電線端部にそれぞれ接続されたプラス極又はマイナス極のバッテリーターミナルを、バッテリー本体の対応する極性のバッテリーポストにそれぞれ接続させるためのバッテリーターミナルの接続構造に関する。
【０００２】
【従来の技術】
従来のバッテリーターミナルの接続構造としては、特開平４−２２０９４７号公報等に開示されているものがある。図５及び図６を参照すると、従来のバッテリー６０は、略角柱状に形成されたバッテリーターミナル６１のボルト取付孔６２に、コード端子６３のボルト挿通孔６４を挿通されたボルト６５を螺合させることにより、バッテリーターミナル６１にコード端子６３を固定するものが記載されている。
【０００３】
前記コード端子６３は、バッテリーターミナル６１へのコード端子６３の接続に際して、平板部６３ａをバッテリー６０のバッテリーターミナル６１の結合面６１ａに係合されるとともに、平板部６３ａの縁部を折曲して形成された一対の突片６３ｂを、バッテリーターミナル６１の２つの側面６１ｂにそれぞれ係合される。
また、バッテリーターミナル６１のボルト取付孔６２及びコード端子６３のボルト挿通孔６４は、バッテリーターミナル６１の結合面６１ａの中心から偏心した位置に設けられる。
【０００４】
【発明が解決しようとする課題】
上述した従来のバッテリーターミナルの接続構造では、バッテリーターミナル６１の各側面６１ｂへのコード端子６３の各突片６３ｂの係合と、バッテリーターミナル６１の結合面６１ａ中心に対するボルト取付孔６２及びボルト挿通孔６４の偏心により、バッテリーターミナル６１へのコード端子６３の接続方向を規制している。従って、接続方向の取り違え等による誤接続を防止することができる。
【０００５】
しかしながら、コード端子６３の極性の取り違えには全く対応しておらず、バッテリーターミナル６１とコード端子６３の極性違いによる誤接続を防止することができないという問題があった。
【０００６】
また、バッテリーターミナル６１へのコード端子６３の取付作業が煩雑であり、作業時間の短縮が困難であるという問題もあった。
すなわち、コード端子６３の取付作業に際して、作業者は、コード端子６３の平板部６３ａをバッテリーターミナル６１の結合面６１ａに係合させた状態で、コード端子６３のボルト挿通孔６４の位置を、バッテリーターミナル６１のボルト取付孔６２の位置に合わせる。そして、この状態を片手で保持したまま、もう一方の手でボルト６５をボルト挿通孔６４を介してボルト取付孔６２に螺合させる必要がある。従って、作業者は、両手を使った煩雑な作業を強いられることとなり、多くの作業時間を要する。
【０００７】
更に、バッテリーターミナル６１のボルト取付孔６２に、コード端子６３のボルト挿通孔６４を挿通されたボルト６５を螺合することで、バッテリー６０として十分な効果を発揮するものである。
【０００８】
なお、広く一般に用いられているバッテリーとしては、バッテリーターミナルが接続されるバッテリーポストがバッテリー本体に予め立設されており、バッテリーポストに螺合される固定用ナットによって、バッテリーターミナルを各バッテリーポストに固定する構成が挙げられる。
このような構成に、上述した従来のバッテリーターミナルの接続構造をそのまま適用することはできない。しかも、例え適用できたとしても、作業性改善に顕著な効果は期待できない。
【０００９】
本発明は、上記課題を解決することにあり、極性違いによる誤接続を確実に防止することができるとともに、良好な作業性を確保することができ、加えてコスト低減をも図ることができるバッテリーターミナルの接続構造を提供することを目的としている。
【００１０】
【課題を解決するための手段】
本発明に係わる上記課題は、電線端部にそれぞれ接続されたプラス極又はマイナス極のバッテリーターミナルを、バッテリー本体の対応する極性のバッテリーポストにそれぞれ接続させるバッテリーターミナルの接続構造において、
前記バッテリー本体は、プラス極及びマイナス極のバッテリーポストと、前記バッテリー本体と別体に着脱可能に設けられ、前記各バッテリーポストをそれぞれ覆うポスト保護カバーとを備え、
該各ポスト保護カバーは、対応する極性の前記バッテリーターミナルのみを嵌挿可能なようにプラス極又はマイナス極に専用の所要形状に各々形成されたターミナル用開口を備え、
前記各バッテリーターミナルは、対応する前記ターミナル用開口に嵌挿可能な所要形状に形成されており、前記ターミナル用開口への嵌挿方向先端に、前記バッテリーポストに嵌合されて電気的接続を得る接続用溝を備えていることを特徴とするバッテリーターミナルの接続構造によって解決することができる。
【００１１】
前記構成のバッテリーターミナルの接続構造においては、電線端部にそれぞれ接続されたプラス極又はマイナス極のバッテリーターミナルが、対応するポスト保護カバーのターミナル用開口にそれぞれ嵌挿され、その先端の接続用溝内にバッテリーポストが嵌合され、電気的接続を得る。
【００１２】
この際、バッテリーターミナルを、対応しないターミナル用開口に誤って嵌挿させようとしても、形状の相違から嵌挿させることはできない。従って、バッテリーターミナルを、極性を誤ってバッテリーポストに接続することはない。
また、各バッテリーターミナルは、対応するターミナル用開口に嵌挿された状態では、作業中の脱落等の心配は殆どない。従って、良好な作業性を得ることができる。
【００１３】
また、前記バッテリーターミナルの接続構造において、好ましくは前記バッテリー本体の前記各バッテリーポスト近傍には、前記各バッテリーターミナルを係止する被係止部が設けられ、前記各バッテリーターミナルの先端には、前記ポスト保護カバーの対応する前記各ターミナル用開口から前記バッテリーポストへの嵌挿に伴って、前記被係止部に係止される係止爪が設けられていることを特徴とするバッテリーターミナルの接続構造によって解決できる。
【００１４】
前記構成のバッテリーターミナルの接続構造においては、ポスト保護カバーの対応する各ターミナル用開口への各バッテリーターミナルの嵌挿に伴って、各バッテリーターミナルの嵌合方向先端に設けられた係止爪が、バッテリー本体の各バッテリーポスト近傍に設けられた被係止部に係止される。
従って、作業中にバッテリーターミナルがターミナル用開口から抜け落ちる等の不具合が確実に防止され、良好な作業性を得ることができる。
【００１５】
また、上記バッテリーターミナルの接続構造において、好ましくは前記各バッテリーターミナルには、前記ターミナル用開口への嵌挿方向に沿って回転防止用リブが突設されており、前記バッテリー本体の前記各ターミナル用開口には、前記回転防止用リブを嵌挿するリブ用溝が設けられていることを特徴とするバッテリーターミナルの接続構造によって解決できる。
【００１６】
前記構成のバッテリーターミナルの接続構造においては、各極のバッテリーターミナルが、対応するポスト保護カバーのターミナル用開口にそれぞれ嵌挿される際、各ターミナル用開口への嵌挿方向に沿って突設された回転防止用リブがターミナル用開口のリブ用溝に嵌合される。従って、作業に伴う各バッテリーターミナルの例えば水平面内での不用意な回転等が確実に防止され、良好な作業性を得ることができる。
【００１７】
また、上記バッテリーターミナルの接続構造において、好ましくは前記各極性のバッテリーポストには、対応する前記ターミナル用開口に嵌挿されて前記バッテリーポストに嵌合された前記各バッテリーターミナルを、前記バッテリーポストへの螺合によって固定する螺合部材が設けられ、
前記各ポスト保護カバーには、前記各螺合部材の螺合作業のための作業用開口が設けられ、前記各螺合部材には、前記バッテリーポストへの螺合に伴って前記作業用開口を閉塞させる開口閉塞部材が、一体的に設けられていることを特徴とするバッテリーターミナルの接続構造によって解決できる。
【００１８】
前記構成のバッテリーターミナルの接続構造においては、各バッテリーターミナルは、対応するターミナル用開口に嵌挿されて接続用溝にバッテリーポストが嵌合された状態で、螺合部材がバッテリーポストに螺合されることにより固定される。このバッテリーポストへの螺合部材の螺合に伴って、螺合部材に一体的に設けられた開口閉塞部材が作業用開口を閉塞させる。従って、作業後の作業用開口の閉塞による高い防水性及び防塵性が確保される。
【００１９】
また、前記バッテリーターミナルの接続構造において、好ましくは前記各開口閉塞部材は、外部から手動操作可能であり、前記螺合部材を螺合させるための所要のツールを装着可能なツール装着部が設けられていることを特徴とするバッテリーターミナルの接続構造によって解決できる。
【００２０】
前記構成のバッテリーターミナルの接続構造においては、各バッテリーターミナルは、対応するターミナル用開口に嵌挿されて接続用溝にバッテリーポストが嵌合された状態で、螺合部材がバッテリーポストに螺合されることにより固定される。
【００２１】
すなわち、螺合部材は、一体的に設けられた開口閉塞部材を外部から手動操作で回転させるか、又は開口閉塞部材のツール装着部に装着された所要のツールを介して操作することにより、バッテリーポストに螺合される。このバッテリーポストへの螺合部材の螺合に伴って、開口閉塞部材が作業用開口を閉塞させる。従って、螺合部材の良好な螺合作業性の確保と、作業後の作業用開口の閉塞による高い防水性及び防塵性の確保が両立される。
【００２２】
【発明の実施の形態】
以下、本発明のバッテリーターミナルの接続構造の第１実施形態を図１〜図３に基づいて詳細に説明する。図１は本実施形態のバッテリーターミナルの接続構造を示す要部の斜視図、図２は図１における凹部及びバッテリーポストを示す要部斜視図、図３は図１における被係止部及び係止爪を示す断面図である。
【００２３】
図１に示すように、電線端部１０にそれぞれ接続されたプラス極又はマイナス極のバッテリーターミナル４０，４１は、バッテリー本体２０の対応する極性のバッテリーポスト２１，２２にそれぞれ接続されるとともに、バッテリーポスト２１，２２に螺合される固定用ナット２３の締め付けによって固定される。
【００２４】
また、前記バッテリー本体２０の図１中上部の左右の角部２４，２５（以下、それぞれ左側角部２４，右側角部２５という）にはそれぞれ、図１中左右一対の凹部２６が形成されている。
【００２５】
図２に示すように、前記各凹部２６には、プラス極及びマイナス極のバッテリーポスト２１，２２が、先端部（図１中上端部）をバッテリー本体２０の図１中上面から突出しないように設けられる。
また、各凹部２６におけるバッテリーポスト２１，２２の基端部には、平面視略正方形状の被係止部２７が、周囲から段状に突出して設けられている。この各被係止部２７は、後述するバッテリーターミナル４０，４１の係止爪４７を係止する。
【００２６】
更に、前記各凹部２６には、各バッテリーポスト２１，２２を覆うポスト保護カバー３０，３１が、バッテリー本体２０と別体に着脱可能に設けられている。
この各ポスト保護カバー３０，３１は、略正方形状の上面３０ａ，３１ａの２辺の縁部から略直角に立設した２つの側面３０ｂ，３１ｂを有しており、合成樹脂等の絶縁性材料により形成されている。
また、この各ポスト保護カバー３０，３１は、各凹部２６に嵌合された状態で、上面３０ａ，３１ａがバッテリー本体の図１中上面と略面一となるとともに、各側面３０ｂ，３１ｂがバッテリー本体の各外側壁と略面一となるように寸法設定されている。
【００２７】
前記各ポスト保護カバー３０，３１には、ターミナル用開口３２，３３が設けられている。
【００２８】
前記ターミナル用開口３２，３３は、各ポスト保護カバー３０，３１にそれぞれ１個ずつ計２個、各ポスト保護カバー３０，３１の一側面３０ｂ，３１ｂにそれぞれ設けられている。この各ターミナル用開口３２，３３は、プラス極又はマイナス極に専用の所要形状に形成されており、対応する極性のバッテリーターミナル４０，４１のみを嵌挿可能である。
【００２９】
すなわち、図１中左側のポスト保護カバー３０に設けられたターミナル用開口３２は、後述する回転防止用リブ４３を嵌合されるリブ用溝３２ａを、長手方向右端部の上方に向けて有しており、例えばプラス極のバッテリーターミナル４０のみを嵌挿可能である。
また、図１中右側のポスト保護カバー３１に設けられたターミナル用開口３３は、回転防止用リブ４５を嵌合されるリブ用溝３３ａを、長手方向左端部の上方に向けて有しており、例えばマイナス極のバッテリーターミナル４１のみを嵌挿可能である。
【００３０】
また、前記各ポスト保護カバー３０，３１の上面３０ａ，３１ａには、作業用開口３４が設けられている。すなわち、作業用開口３４は、各ポスト保護カバー３０，３１にそれぞれ１個ずつ計２個、平面視略円形状に形成されている。
この各作業用開口３４は、バッテリーポスト２１，２２への固定用ナット２３の螺合作業を行うためのものであり、例えば固定用ナット２３を螺合のために回転させるツール等（図示しない）を挿通させる。
【００３１】
前記各バッテリーターミナル４０，４１は、対応するターミナル用開口３２，３３に嵌挿可能な所要形状に形成されている。
【００３２】
すなわち、図１中左側の例えばプラス極のバッテリーターミナル４０は、平板部４２の図１中右縁部上面に、ポスト保護カバー３０のターミナル用開口３２のリブ用溝３２ａに対応する形状及び寸法の回転防止用リブ４３が、嵌挿方向に沿って突設されている。これにより、プラス極のバッテリーターミナル４０は、ポスト保護カバー３０のターミナル用開口３２にのみ嵌挿可能であり、ポスト保護カバー３１のターミナル用開口３３には嵌挿不能であるとともに、固定用ナット２３の回転に伴うバッテリーターミナル４０の水平面内での不用意な回転等を確実に防止できる。
【００３３】
また、図１中右側の例えばマイナス極のバッテリーターミナル４１は、平板部４４の図１中左縁部上面に、ポスト保護カバー３１のターミナル用開口３３のリブ用溝３３ａに対応する形状及び寸法の回転防止用リブ４５が、嵌挿方向に沿って突設されている。これにより、マイナス極のバッテリーターミナル４１は、ポスト保護カバー３１のターミナル用開口３３にのみ嵌挿可能で、ポスト保護カバー３０のターミナル用開口３２には嵌挿不能であるとともに、固定用ナット２３の回転に伴うバッテリーターミナル４１の水平面内での不用意な回転等を確実に防止できる。
【００３４】
前記各バッテリーターミナル４０，４１の平板部４２，４４には、各ターミナル用開口３２，３３への嵌挿方向先端に、平面視Ｕ字状の接続用溝４６及び係止爪４７が設けられている。
【００３５】
前記接続用溝４６は、各ターミナル用開口３２，３３への各バッテリーターミナル４０，４１の嵌挿方向先端側に開口されており、対応するターミナル用開口３２，３３への各バッテリーターミナル４０，４１の嵌挿に伴って、バッテリーポスト２１，２２が嵌合されて電気的接続を得る。
また、係止爪４７は、各バッテリーターミナル４０，４１の平板部４２，４４の図１中下面に突設されており、対応するターミナル用開口３２，３３への各バッテリーターミナル４０，４１の嵌挿に伴って、バッテリー本体２０の被係止部２７に係止される。
【００３６】
前記各バッテリーターミナル４０，４１は、対応するターミナル用開口３２，３３に嵌挿され、接続用溝４６にバッテリーポスト２１，２２が嵌合された状態で、バッテリー本体２０の作業用開口３４を介してバッテリーポスト２１，２２に螺合される固定用ナット２３によって、各バッテリーポスト２１，２２に固定される。
【００３７】
次に、本実施形態のバッテリーターミナルの接続構造の接続手順を説明する。
先ず、各バッテリーターミナル４０，４１をバッテリー本体２０の対応する極性のバッテリーポスト２１，２２に接続させる際、プラス極のバッテリーターミナル４０を、ポスト保護カバー３０のターミナル用開口３２に嵌挿させる。この嵌挿に伴って、バッテリーターミナル４０の接続用溝４６にバッテリーポスト２１が嵌合され、電気的に接続されるとともに、バッテリーターミナル４０の係止爪４７が、被係止部２７の端縁に係止される（図３参照）。
【００３８】
この際、プラス極のバッテリーターミナル４０を、誤ってポスト保護カバー３１のターミナル用開口３３に嵌挿させようとしても、形状の相違から嵌挿させることはできない。従って、バッテリーターミナル４０を、極性を誤ってバッテリーポスト２２に接続することはない。
また、プラス極のバッテリーターミナル４０は、ポスト保護カバー３０のターミナル用開口３２に嵌挿された状態では、脱落等の心配は殆どない。従って、良好な作業性が確保される。
【００３９】
次に、ポスト保護カバー３０の作業用開口３４を介して、バッテリーポスト２１に予め螺合されている固定用ナット２３に締め付け用ツールを掛け、固定用ナット２３を回転させて締め付ける。これにより、バッテリーターミナル４０はバッテリーポスト２１に確実に固定される。
【００４０】
この際、バッテリーターミナル４０の係止爪４７が被係止部２７に係止されていることにより、固定用ナット２３による固定前に、バッテリーターミナル４０がポスト保護カバー３０のターミナル用開口３２から抜け落ちる等の不具合を確実に防ぐことができる。
また、バッテリーターミナル４０の回転防止用リブ４３が、ポスト保護カバー３０のターミナル用開口３２のリブ用溝３２ａに嵌合されていることにより、固定用ナット２３の回転に伴うバッテリーターミナル４０の水平面内での不用意な回転等を確実に防止することができる。従って、作業者はバッテリーターミナル４０を片手で保持する等の必要がなく、良好な作業性が得られる。
【００４１】
また、マイナス極のバッテリーターミナル４１についても、上述したプラス極のバッテリーターミナル４０の場合と同様に、極性を誤ることなく、良好な作業性を以って、ポスト保護カバー３１のターミナル用開口３３を介して、マイナス極のバッテリーポスト２２に固定される。
【００４２】
次に、本発明のバッテリーターミナルの接続構造の第２実施形態を図４及び図５に基づいて説明する。図４は本実施形態のバッテリーターミナルの接続構造を示す要部斜視図、図５は図４における要部の断面図である。
【００４３】
図４及び図５に示すように本実施形態のバッテリーターミナルの接続構造は、固定用ナット２３が合成樹脂等からなる開口閉塞用ノブ５０の仮想中心軸上に一体的に嵌め込み又はインサート成形により設けられている。この開口閉塞用ノブ５０は、手動操作で回転可能であるとともに、バッテリーポスト２１，２２への固定用ナット２３の螺合及び締め付けに伴って、バッテリー本体２０の作業用開口３４を閉塞させる。
【００４４】
すなわち、開口閉塞用ノブ５０は、固定用ナット２３が締め込まれた状態（図示しない）において、図５中下面に設けられたＯリング５１（又は開口閉塞用ノブ５０下面）が、ポスト保護カバー３０，３１の上面３０ａ，３１ａに当接することで、作業用開口３４を閉塞する。これにより、作業用開口３４の良好な防水性及び防塵性を確保することができる。
また、開口閉塞用ノブ５０における固定用ナット２３の仮想中心軸上には、六角ナット状に形成されたツール装着部５２が突設されている。このツール装着部５２は、固定用ナット２３を回転させるための六角レンチ等の締め付けツールを必要に応じて使用するためのものである。その他の構成及び作用は、上記第１実施形態と同様である。
【００４５】
上述したように上記各実施形態によれば、ポスト保護カバー３０，３１の各ターミナル用開口３２，３３は、対応する極性のバッテリーターミナル４０，４１のみを嵌挿可能であり、各バッテリーターミナル４０，４１は、対応するターミナル用開口３２，３３に嵌挿可能な所要形状に形成されている。従って、各バッテリーポスト２１，２２への各バッテリーターミナル４０，４１の極性違いによる誤接続を確実に防止することができる。
【００４６】
また、ポスト保護カバー３０，３１の対応する各ターミナル用開口３２，３３への各バッテリーターミナル４０，４１の嵌挿に伴って、各バッテリーターミナル４０，４１の嵌合方向先端に設けられた係止爪４７が、バッテリー本体２０の被係止部２７に係止される。
従って、固定用ナット２３による固定前に、バッテリーターミナル４０，４１がターミナル用開口３２，３３から抜け落ちるようなことはなく、作業者は固定用ナット２３を螺合させるに当たって、バッテリーターミナル４０，４１を保持しておく必要がない。
【００４７】
更に、バッテリーターミナル４０，４１の回転防止用リブ４３，４５がターミナル用開口３２，３３のリブ用溝３２ａ，３３ａに嵌合される。従って、固定用ナット２３の螺合による回転に伴うバッテリーターミナル４０，４１の水平面内での不用意な回転等を確実に防止することができる。これにより、バッテリーターミナル４０，４１接続時の良好な作業性を確保することができる。
【００４８】
また、上記第１実施形態によれば、各ポスト保護カバー３０，３１が、バッテリー本体２０と別体に着脱可能に設けられるので、ポスト保護カバー３０，３１をバッテリー本体２０とは全く別に容易に成形することができ、コスト低減を図ることができる。
【００４９】
また、各極性のバッテリーポスト２１，２２が、先端部をバッテリー本体２０の図１中上面から外側に突出しないように、各凹部２６に設けられており、バッテリー本体２０の図１中上面と面一であるポスト保護カバー３０，３１の作業用開口３４からも突出しない。従って、締め付けツール等の不用意な接触によるショート及び損傷等からバッテリーポスト２１，２２を確実に保護することができる。
【００５０】
また、上記第２実施形態によれば、さらに各バッテリーターミナル４０，４１をバッテリーポスト２１，２２への螺合によって固定する固定用ナット２３に、バッテリーポスト２１，２２への螺合に伴って作業用開口３４を閉塞する開口閉塞用ノブ５０が一体的に設けられている。従って、作業用開口３４を介した固定用ナット２３の良好な螺合作業性の確保と、作業後の作業用開口３４の閉塞による高い防水性及び防塵性の確保を両立させることができる。
【００５１】
また、バッテリーポスト２１，２２への固定用ナット２３の螺合に当たって、開口閉塞用ノブ５０を直接手動操作して回転させ、固定用ナット２３を締め付けることができ、且つ開口閉塞用ノブ５０のツール装着部５２に所要のツールを嵌合させて、前記ツールを介して固定用ナット２３を締め付けることもできる。
【００５２】
しかも、上述した各実施形態のバッテリー構造は、バッテリー本体２０に立設されたバッテリーポスト２１，２２に螺合される固定用ナット２３によって、バッテリーターミナル４０，４１を各バッテリーポスト２１，２２に固定させる最も一般的なものであり、様々な構成のバッテリー構造に適用可能であって、汎用性の面で顕著な効果を得ることができる。
【００５３】
なお上記各実施形態では、略正方形状の上面３０ａ，３１ａの２辺の縁部からそれぞれ略直角に立設した２つの側面を有するポスト保護カバー３０，３１を、バッテリー本体２０の角部２４，２５に形成した各凹部２６にそれぞれ嵌合させ、各ポスト保護カバー３０，３１の外面がバッテリー本体２０の外壁面と面一となる構成としたが、本発明は前記構成に限定されるものではない。
【００５４】
すなわち、バッテリー本体２０に凹部２６を形成せず、バッテリー本体２０の上面にバッテリーポストを突設し、略正方形状の上面の４辺の縁部からそれぞれ略直角に立設した４つの側面を有するポスト保護カバー（図示しない）を、バッテリーポストを囲うように被せる構成とすることもできる。
この構成によれば、バッテリー本体２０の角部に凹部２６を持たない一般的なバッテリー構造にも、容易に適用することができ、高い汎用性が得られる。
【００５５】
【発明の効果】
以上説明したように本発明のバッテリーターミナルの接続構造によれば、下記のような顕著な効果を得ることができる。
すなわち、上記請求項１記載の発明によれば、バッテリー本体は、プラス極及びマイナス極のバッテリーポストと、バッテリー本体と別体に着脱可能に設けられ、各バッテリーポストをそれぞれ覆うポスト保護カバーとを備え、該各ポスト保護カバーは、対応する極性のバッテリーターミナルのみを嵌挿可能なようにプラス極又はマイナス極に専用の所要形状に各々形成されたターミナル用開口を備え、各バッテリーターミナルは、対応するターミナル用開口に嵌挿可能な所要形状に形成されており、ターミナル用開口への嵌挿方向先端に、バッテリーポストに嵌合されて電気的接続を得る接続用溝を備えている。
【００５６】
従って、電線端部にそれぞれ接続されたプラス極又はマイナス極のバッテリーターミナルが、対応するポスト保護カバーのターミナル用開口にそれぞれ嵌挿され、その先端の接続用溝内にバッテリーポストが嵌合される。この際、バッテリーターミナルを、対応しないターミナル用開口に誤って嵌挿させようとしても、形状の相違から嵌挿させることはできない。よって、極性違いによる誤接続を確実に防止することができるとともに、良好な作業性を確保することができる。
また各ポスト保護カバーが、バッテリー本体と別体に着脱可能に設けられているので、各ポスト保護カバーを容易に成形することができ、コスト低減を図ることができる。
【００５７】
また、上記請求項２記載の発明によれば、バッテリー本体の各バッテリーポスト近傍には、各バッテリーターミナルを係止する被係止部が設けられ、各バッテリーターミナルの先端には、ポスト保護カバーの対応する各ターミナル用開口からバッテリーポストへの嵌挿に伴って、被係止部に係止される係止爪が設けられている。
従って、ポスト保護カバーの対応する各ターミナル用開口への各バッテリーターミナルの嵌挿に伴って、各バッテリーターミナルの嵌合方向先端に設けられた係止爪が、バッテリー本体の各バッテリーポスト近傍に設けられた被係止部に係止される。よって、作業中にバッテリーターミナルがターミナル用開口から抜け落ちる等の不具合が確実に防止され、良好な作業性を得ることができる。
【００５８】
また、上記請求項３記載の発明によれば、各バッテリーターミナルには、ターミナル用開口への嵌挿方向に沿って回転防止用リブが突設されており、バッテリー本体の各ターミナル用開口には、回転防止用リブを嵌挿するリブ用溝が設けられている。
従って、各極のバッテリーターミナルが、対応するポスト保護カバーのターミナル用開口にそれぞれ嵌挿される際、各ターミナル用開口への嵌挿方向に沿って突設された回転防止用リブがターミナル用開口のリブ用溝に嵌合される。従って、作業に伴う各バッテリーターミナルの例えば水平面内での不用意な回転等が確実に防止され、良好な作業性を得ることができる。
【００５９】
また、上記請求項４記載の発明によれば、各極性のバッテリーポストには、対応するターミナル用開口に嵌挿されてバッテリーポストに嵌合された各バッテリーターミナルを、バッテリーポストへの螺合によって固定する螺合部材が設けられ、各ポスト保護カバーには、各螺合部材の螺合作業のための作業用開口が設けられ、各螺合部材には、バッテリーポストへの螺合に伴って作業用開口を閉塞させる開口閉塞部材が、一体的に設けられている。
従って、各バッテリーターミナルは、対応するターミナル用開口に嵌挿されて接続用溝にバッテリーポストが嵌合された状態で、螺合部材がバッテリーポストに螺合されることにより固定される。このバッテリーポストへの螺合部材の螺合に伴って、螺合部材に一体的に設けられた開口閉塞部材が作業用開口を閉塞させる。よって、作業後の作業用開口の閉塞による高い防水性及び防塵性が確保される。
【００６０】
更に、上記請求項５記載の発明によれば、各開口閉塞部材は、外部から手動操作可能であり、螺合部材を螺合させるための所要のツールを装着可能なツール装着部が設けられている。
従って、各バッテリーターミナルは、それぞれ対応するターミナル用開口に嵌挿されて接続用溝にバッテリーポストが嵌合された状態で、螺合部材が一体的に設けられた開口閉塞部材を外部から手動操作で回転させるか又は開口閉塞部材のツール装着部に装着された所要のツールを介して操作することにより、バッテリーポストに螺合される。よって、螺合部材の良好な螺合作業性を得ることができるとともに、作業後の作業用開口の閉塞による高い防水性及び防塵性の確保が両立される。
【図面の簡単な説明】
【図１】本発明の第１実施形態であるバッテリーターミナルの接続構造を示す要部斜視図である。
【図２】図１における凹部及びバッテリーポストを示す要部斜視図である。
【図３】図１における被係止部及び係止爪を示す要部断面図である。
【図４】本発明の第２実施形態であるバッテリーターミナルの接続構造を示す要部斜視図である。
【図５】図４における要部断面図である。
【図６】従来のバッテリーのコード端子接続構造を示す平面図である。
【図７】図６における要部斜視図である。
【符号の説明】
２０  バッテリー本体
２１，２２  バッテリーポスト
２３  螺合部材（固定用ナット）
２４  角部（左側角部）
２５  角部（右側角部）
２６  凹部
２７  被係止部
３０，３１  ポスト保護カバー
３２，３３  ターミナル用開口
３２ａ，３３ａ  リブ用溝
３４  作業用開口
４０，４１  バッテリーターミナル
４２，４４  平板部
４３，４５  回転防止用リブ
４６  接続用溝
４７  係止爪
５０  開口閉塞部材（開口閉塞用ノブ）
５１  Ｏリング
５２  ツール装着部
【図１】
0003761145.tif 000002
【図２】
0003761145.tif 000003
【図３】
0003761145.tif 000004
【図４】
0003761145.tif 000005
【図５】
0003761145.tif 000006
【図６】
0003761145.tif 000007
【図７】
0003761145.tif 000008